(57)【要約】【課題】共鳴による騒音増大を抑えることができる空気調和機ユニットを提供すること。【解決手段】空気調和機ユニット１０は、羽根車１１０およびモータ１１Ｍを有するファン１１と、ファン１１により送風される熱交換器１２と、ファン１１および熱交換器１２を収容する筐体２０とを備える。熱交換器１２から風上側と風下側とに突出した仕切壁３１〜３３により、熱交換器１２よりも風上側に位置する間隙Ｓ２、および熱交換器１２よりも風下側に位置する間隙Ｓ１が仕切られている。【選択図】図４
2018124026.tif 000002
【特許請求の範囲】
【請求項１】
空気調和機を構成するユニットであって、
羽根車および前記羽根車を駆動する駆動部を有するファンと、
前記ファンにより送風される熱交換器と、
前記ファンおよび前記熱交換器を収容する筐体と、を備え、
前記熱交換器から風上側と風下側とに突出した仕切壁により、前記熱交換器よりも風上側に位置する間隙、および前記熱交換器よりも風下側に位置する間隙が仕切られている、
ことを特徴とする空気調和機ユニット。
【請求項２】
前記仕切壁から、前記仕切壁の両側に位置する壁までのそれぞれの距離は、
所定の選択周波数の波長の１／２のｎ倍のいずれにも該当しない、
請求項１に記載の空気調和機ユニット。
【請求項３】
前記距離は、
前記選択周波数の１／２波長、１波長、３／２波長、および２波長のいずれにも該当しない、
請求項２に記載の空気調和機ユニット。
【請求項４】
前記仕切壁は、
前記選択周波数の波長の１／２のｎ倍のいずれかに該当する距離をおいて向かい合う前記壁同士の間に位置している、
請求項２または３に記載の空気調和機ユニット。
【請求項５】
前記選択周波数の波長の１／２のｎ倍のいずれかに該当する距離をおいて向かい合う前記壁の複数の組が存在し、
前記各組の前記壁同士の間にはそれぞれ前記仕切壁が位置しており、
前記複数の仕切壁のうちの一の仕切壁と、前記一の仕切壁の両側に位置する前記壁までのそれぞれの距離は、他の前記仕切壁と、前記他の仕切壁の両側に位置する前記壁までのそれぞれの距離のいずれとも異なっている、
請求項２から４のいずれか一項に記載の空気調和機ユニット。
【請求項６】
前記仕切壁から、前記仕切壁と対向する前記壁までの距離は、
前記筐体の高さ方向において変化している、
請求項２から５のいずれか一項に記載の空気調和機ユニット。
【請求項７】
前記仕切壁から、前記仕切壁と対向する前記壁までの距離は、
前記筐体の平面視において変化している、
請求項２から６のいずれか一項に記載の空気調和機ユニット。
【請求項８】
前記筐体は、平面視で略矩形状に形成され、
前記仕切壁により仕切られる前記間隙は、前記筐体の辺に沿って直線的に形成され、
前記仕切壁を間に挟んで配置されている前記壁同士の少なくとも一方は、
前記筐体の角部に位置する、
請求項２から７のいずれか一項に記載の空気調和機ユニット。
【請求項９】
前記仕切壁は、
音波を吸収する吸音材を用いて構成されている、
請求項１から８のいずれか一項に記載の空気調和機ユニット。
【発明の詳細な説明】
【技術分野】
【０００１】
本発明は、空気調和機を構成するユニットに関する。
【背景技術】
【０００２】
空気調和機の室内ユニットの筐体内には、熱交換器と、熱交換器に向けて送風する遠心ファンとが配置されている。天井に設置されるタイプのものは、平面視矩形の筐体パネルの中央の領域からファンへと室内空気が吸い込まれる。ファンの羽根車により加圧された空気は、羽根車を囲む熱交換器へと吹き付けられ、熱交換器を通過した空気が筐体パネルの四辺の吹き出し口から四方に向けて室内へと吹き出される。
【０００３】
筐体内の角部における空気の圧力変動により発生するＮＺ音を低減するため、特許文献１では、熱交換器を包囲する筐体の内壁と、熱交換器の外周部との間の筐体角部付近に壁を配置している。ＮＺ音は、ファンの回転数および羽根の数によって周波数が決まって発生する騒音をいう。
【先行技術文献】
【特許文献】
【０００４】
【特許文献１】特開２０１３−９６６０１号公報
【発明の概要】
【発明が解決しようとする課題】
【０００５】
ファンの回転数や羽根の枚数に関係なく発生する騒音もある。
仮に、羽根車から発生した圧力変動が筐体内で共鳴すると、羽根車の回転数に関わらず、騒音の音圧を引き上げる要因となる。共鳴は、広い周波数帯域において離散した複数の周波数について発生しうる。
特許文献１のように筐体の角部の付近に壁を配置することで、ＮＺ音の低減には効果があるにしても、共鳴による騒音増大を十分に抑制することは難しい場合がある。
以上より、本発明は、共鳴による騒音増大を抑えることができる空気調和機ユニットを提供することを目的とする。
【課題を解決するための手段】
【０００６】
本発明は、空気調和機を構成するユニットであって、羽根車および羽根車を駆動する駆動部を有するファンと、ファンにより送風される熱交換器と、ファンおよび熱交換器を収容する筐体と、を備える。
そして、本発明は、熱交換器から風上側と風下側とに突出した仕切壁により、熱交換器よりも風上側に位置する間隙、および熱交換器よりも風下側に位置する間隙が仕切られていることを特徴とする。
【０００７】
本発明の空気調和機ユニットにおいて、仕切壁から、仕切壁の両側（両面側）に位置する壁までのそれぞれの距離は、所定の選択周波数の波長の１／２のｎ倍のいずれにも該当しないことが好ましい。ｎは、自然数（１，２，３・・・）である。
【０００８】
本発明の空気調和機ユニットにおいて、上記距離は、選択周波数の１／２波長、１波長、３／２波長、および２波長のいずれにも該当しないことが好ましい。
【０００９】
本発明の空気調和機ユニットにおいて、仕切壁は、選択周波数の波長の１／２のｎ倍のいずれかに該当する距離をおいて向かい合う壁同士の間に位置していることが好ましい。
【００１０】
本発明の空気調和機ユニットにおいて、選択周波数の波長の１／２のｎ倍のいずれかに該当する距離をおいて向かい合う壁の複数の組が存在し、各組の壁同士の間にはそれぞれ仕切壁が位置しており、複数の仕切壁のうちの一の仕切壁と、一の仕切壁の両側に位置する壁までのそれぞれの距離は、他の仕切壁と、他の仕切壁の両側に位置する壁までのそれぞれの距離のいずれとも異なっていることが好ましい。
【００１１】
本発明の空気調和機ユニットにおいて、仕切壁から、仕切壁と対向する壁までの距離は、筐体の高さ方向において変化していることが好ましい。
【００１２】
本発明の空気調和機ユニットにおいて、仕切壁から、仕切壁と対向する壁までの距離は、筐体の平面視において変化していることが好ましい。
【００１３】
本発明の空気調和機ユニットにおいて、筐体は、平面視で略矩形状に形成され、仕切壁により仕切られる間隙は、筐体の辺に沿って直線的に形成され、仕切壁を間に挟んで配置されている壁同士の少なくとも一方は、筐体の角部に位置することが好ましい。
【００１４】
本発明の空気調和機ユニットにおいて、仕切壁は、音波を吸収する吸音材を用いて構成されていることが好ましい。
【発明の効果】
【００１５】
本発明によれば、熱交換器よりも風上側の間隙と風下側の間隙とが仕切壁により仕切られていることで、共鳴に起因する騒音増幅を抑制することができる。また、羽根車から伝搬した圧力変動が仕切壁により分割されることで、共鳴が生じる波長が短くなり周波数が高い方にシフトし、発生する音の周波数が分散するため、同じ周波数の圧力変動の伝播を抑制して騒音を低減することができる。
さらに、仕切壁から、仕切壁の両側に位置する壁までのそれぞれの距離が、騒音の周波数分析等に基づいて選択された所定の周波数の波長の１／２のｎ倍のいずれにも該当しないように仕切壁の位置を定めることにより、所定の周波数の共鳴の発生を避けて騒音を低減することができる。
【図面の簡単な説明】
【００１６】
【図１】本発明の実施形態に係る空気調和機ユニットを示す断面図である。
【図２】第１実施形態に係る空気調和機ユニットを下方から示す斜視図である。
【図３】仕切壁の適用前において空気調和機ユニットから発生する騒音の周波数分析結果を示す図である。
【図４】筐体内部の壁と仕切壁との間の距離について説明するための平面図である。
【図５】（ａ）は、第２実施形態に係る空気調和機ユニットを下方から示す斜視図である。（ｂ）は、第２実施形態における仕切壁を側方から示す模式図である。
【図６】第２実施形態の変形例を示す斜視図である。
【図７】第２実施形態の他の変形例を示す平面図である。
【発明を実施するための形態】
【００１７】
以下、添付図面を参照しながら、本発明の実施形態について説明する。
以下に示す各実施形態では、天井に設置する四方吹きタイプを例にとり、本発明の空気調和機ユニットを説明する。
【００１８】
〔第１実施形態〕
図１および図２に示す空気調和機ユニット１０は、図示しない室外ユニットおよび配管と共に空気調和機を構成している。
空気調和機ユニット１０は、ファン１１と、ファン１１により送風される熱交換器１２と、ファン１１および熱交換器１２を収容する筐体２０とを備えている。
【００１９】
筐体２０は、平面視略矩形状の箱型に形成されている。図２に示すように、筐体２０の四隅は、面取りされた形状となっており、面取りによりオフセットした箇所には、図示しない吊りボルトが配置される。その吊りボルトにより、空気調和機ユニット１０が部屋の天井に設置される。４箇所の面取りされた部分のことを筐体２０の「角部」と称する。
空気調和機ユニット１０が天井に設置されると、筐体２０は、開口２０１（図２）を下方に向けて配置される。筐体２０には、開口２０１を覆う矩形状の筐体パネル１３（図１）が設けられる。筐体パネル１３は、図２では筐体２０から取り外されている。
【００２０】
筐体パネル１３（図１）の中央の領域には、筐体２０の内側に配置されているファン１１へと吸い込まれる空気が通るメッシュ状の吸込み口１３１が形成されている。吸込み口１３１から吸い込まれる室内の空気をファン１１へと導入するベルマウス１４が筐体パネル１３の内側に配置されている。
筐体パネル１３の四辺にはそれぞれ、熱交換器１２を通過した空気が四方へと吹き出す吹出し口１３２が形成されている。
筐体パネル１３の内側には、熱交換器１２に結露した水等を受ける図示しないドレンパンと、ドレンパンに溜まった水を吸い上げるドレンポンプ１５（図２）等が配置されている。
【００２１】
ファン１１は、羽根車１１０と、羽根車１１０を駆動するモータ１１Ｍとを有している。
羽根車１１０は、図１および図２に示すように、モータ１１Ｍから回転駆動力が出力される軸１１１と接続される主板１１２と、主板１１２に固定されている複数の羽根１１３（ブレード）と、複数の羽根１１３が結合されている円環状のシュラウド１１４とを備えている。
【００２２】
熱交換器１２は、図２に示すように、羽根車１１０を囲むように筐体２０内に配置されている。フィンアンドチューブタイプである熱交換器１２は、図示しない冷媒回路に接続されており、内部を冷媒が流れる金属製のチューブ１２１と、チューブ１２１に熱的に結合している金属製のフィン１２２とを備えている。熱交換器１２は、チューブ１２１を流れる冷媒と、フィン１２２間の隙間を通過する室内空気とを熱交換させる。
【００２３】
チューブ１２１は、羽根車１１０を囲むように曲げられている。チューブ１２１は、筐体２０の高さ方向に多段に積み重ねられている。各段に、チューブ１２１が延びている方向と直交する向きにフィン１２２が配置されている。チューブ１２１およびフィン１２２からなる積層体の両端部１２Ａおよび１２Ｂでは、各段のチューブ１２１が図示しないＵ字管により連結されている。積層体の一端部１２Ａと他端部１２Ｂとの間には、冷媒回路とチューブ１２１との接続部２０Ｂ，２０Ｃが配置される。
【００２４】
モータ１１Ｍ（図１）により羽根車１１０が回転すると、室内の空気が羽根車１１０へと吸い込まれて各羽根１１３により主として遠心力により加圧され、熱交換器１２に向けて押し出される。熱交換器１２の内周部１２３から外周部１２４に向けてフィン１２２の間を風下側へと通過した空気は、熱交換器１２と筐体２０との間の間隙Ｓ１に連通している吹出し口１３２から室内へと吹き出される。
【００２５】
熱交換器１２の外周部１２４は、図２に示すように、筐体２０の内壁２０２により包囲されている。外周部１２４と内壁２０２との間には間隙Ｓ１が存在している。間隙Ｓ１は、筐体２０の辺に沿って直線的に形成されている。
また、熱交換器１２の内周部１２３と羽根車１１０の外端１１０Ａとの間にも間隙Ｓ２が存在している。
【００２６】
本実施形態の空気調和機ユニット１０は、間隙Ｓ１および間隙Ｓ２を仕切るように、羽根車１１０により送風される熱交換器１２から風上側と風下側とに突出した仕切壁３（３１〜３３）を備えることを主要な特徴としている。熱交換器１２の風上側は、熱交換器１２の内周部１２３側に相当する。熱交換器１２の風下側は、熱交換器１２の外周部１２４側に相当する。
【００２７】
仕切壁３は、熱交換器１２の内周部１２３から内側に突出しているとともに、熱交換器１２の外周部１２４から外側にも突出している。
図１に、仕切壁３を格子状のパターンで示している。
仕切壁３は、風上側と風下側とを結ぶ方向に沿った姿勢で、モータ１１Ｍが設置されている筐体２０の底部２０３に対して起立しており、間隙Ｓ１および間隙Ｓ２を羽根車１１０の周方向において仕切っている。
仕切壁３は、適宜な方法で筐体２０、熱交換器１２、あるいは筐体パネル１３等に設置されている。
【００２８】
仕切壁３は、例えば、矩形状に形成することができるが、それに限らず、間隙Ｓ１あるいは間隙Ｓ２を仕切るために適切な形状に定めることができる。仕切壁３は、設置されている部材に支持されている状態で所定の位置および姿勢を保持する限り、金属材料や樹脂材料等、適宜な材料から適宜な厚みに形成することができる。
【００２９】
例えば、スリットが形成されている仕切壁３を筐体２０の底部２０３に形成しておき、仕切壁３のスリットに熱交換器１２を挿入することで、熱交換器１２から風上側と風下側とに突出した仕切壁３を構成することができる。
上記のスリットが形成されている仕切壁３を筐体２０の内壁２０２に形成することもできる。
仕切壁３には必ずしもスリットを形成する必要はなく、熱交換器１２の風上と風下とにそれぞれ配置した板を直接あるいはチューブ１２１やフィン１２２を介して組み付けることによって、仕切壁３を構成するようにしてもよい。
【００３０】
仕切壁３の風下側に位置する外端３Ａと内壁２０２との間のクリアランスは許容されるとしても、仕切壁３は、熱交換器１２よりも風下側の間隙Ｓ１をほぼ完全に仕切っている。そして、仕切壁３の風上側に位置する内端３Ｂは羽根車１１０の外端１１０Ａの近傍に位置しているので、熱交換器１２よりも風上側の間隙Ｓ２も仕切壁３により十分に仕切られている。
【００３１】
羽根車１１０から周囲に送られる空気には、圧力の変動が存在する。羽根車１１０の周囲の部材に空気が吹き付けられると空力音が発生する。羽根車１１０の周囲の空間で共鳴が生じた場合は、音圧レベルを引き上げて大きな騒音要因となる。
【００３２】
熱交換器１２よりも風上側の間隙Ｓ２と風下側の間隙Ｓ１とが仕切壁３により十分に仕切られていることで、共鳴に起因する騒音増幅を抑制することができる。また、羽根車１１０から伝搬した圧力変動が仕切壁３により分割されることで、共鳴が生じる波長が短くなり周波数が高い方にシフトし、発生する音の周波数が分散するため、突出する周波数の騒音を低減することができる。
【００３３】
図３は、ファン１１の回転数を変えて、仕切壁３の適用前の空気調和機ユニットから生じている騒音を周波数分析した結果を示している。図３の縦軸の音圧レベル（ＳＰＬ：sound pressure level）は、騒音の音圧レベルを聴感補正した値である。
図３から、ある周波数（例えば、周波数ｆ１）の前後で、回転数Ａ〜Ｃによらず、音圧レベルが突出している。図３の例では、音圧レベルが突出している周波数は、いくつか存在する。回転数によらず顕著に生じている騒音は、共鳴に起因しているものと推察される。
【００３４】
羽根車１１０の周囲に位置している部材間の寸法が、羽根車１１０から発生した圧力変動の波長と適合していると、共鳴が生じる。この現象は、羽根車１１０の回転数に関わらず生じる。
【００３５】
筐体２０の内側には、筐体２０の角部における内壁２０２（以下、角壁）と、その角壁に対向する部分とが存在する。
例えば、図４に示すように、角壁２１と、角壁２１に対向する壁２２とがある。壁２２は、内壁２０２に対して垂直である。これらの壁２１，２２同士の間の距離ｄが、羽根車１１０から熱交換器１２を通過して間隙Ｓ１へと伝播した圧力変動の波長と適合していると、共鳴が生じる。圧力変動の波長と適合するというのは、壁２１，２２同士の間の距離ｄが、圧力変動の波長の１／２のｎ倍（ｎは自然数）に相当する場合、例えば、圧力変動の１／２波長、１波長、３／２波長、２波長である場合である。
図４には、距離ｄが、羽根車１１０から伝播した圧力変動の１波長（λ）に相当する例を示している。この例では、角壁２１と壁２２との間の空間の中央部において相対的に圧力が高いとすると、その空間の両端部において相対的に圧力が低い。距離ｄは、角壁２１の近傍における圧力分布の平均的な位置から、壁２２の位置までの距離に相当する。
なお、壁２２と壁２５で囲まれた空間には冷媒配管が収められている。
【００３６】
羽根車１１０の周囲で向かい合う壁としては、上記の角壁２１および壁２２の他に、例えば、角壁２３と壁２４、そして、壁２５と壁２６がある。これらの壁２１〜２６は、筐体２０の内壁２０２の一部であったり、筐体２０の内側の突出部であったり、筐体２０の内側に配置されている部材の一部であったり、熱交換器１２の外周部１２４あるいは内周部１２３から突出する部分などに相当する。これらの壁２１〜２６は、熱交換器１２から風上側と風下側との双方に突出した仕切壁３とは区別される。
【００３７】
羽根車１１０からの圧力変動の共鳴周波数が存在するとすれば（例えば図３）、騒音への影響が支配的である共鳴周波数を選択し、共鳴による騒音増幅を避けるために仕切壁３を配置するのがよい。仕切壁３は、所定の選択された周波数の波長に、向かい合う壁同士の間の距離が適合しないように、壁同士の間の空間を仕切る。つまり、仕切壁３により仕切ることで、圧力変動の波長と適合する寸法の空間をなくす。
【００３８】
騒音への影響が大きい複数の共鳴周波数が把握される場合は、それらの共鳴周波数のそれぞれに対応して、共鳴の要因となる壁同士の間隔が複数存在する可能性がある。
本実施形態は、仕切壁３により熱交換器１２の風上側と風下側とを十分に仕切ることで、共鳴による騒音増幅を抑制することに加えて、空気調和機ユニットの騒音の周波数分析結果が示す共鳴周波数と、羽根車１１０の周囲の壁同士の間隔寸法との関係から、共鳴周波数の各々に対応している壁同士の間隔を特定し、それらの壁同士の間にそれぞれ仕切壁３を配置するものとする。
【００３９】
共鳴周波数に対応している壁同士の間の距離は、例えば、次式により特定することができる。
選択された共鳴周波数をｆ（例えば、１ｋＨｚ）、波長をλ、音速をｃ（既知）とすると、
ｃ＝ｆλ  だから、
λ＝ｃ／ｆ  より、共鳴周波数の波長を知り、その波長に適合する壁同士の間の距離ｄを特定することができる。角壁２１のように、向かい合う壁２１，２２同士を結ぶ直線に対して傾斜している場合は、上述のように圧力分布の平均的な箇所を距離ｄの起点とみなすことができる。あるいは、目安として、壁２１，２２が位置している間隙（本実施形態では間隙Ｓ１）の幅方向の中心線を延長した線が角壁２１に突き当たる位置を距離ｄの起点とみなすこともできる。
【００４０】
壁２１〜２６はいずれも熱交換器１２の風下側に位置しているが、熱交換器１２よりも風上側の間隙Ｓ２にも、羽根車１１０から発生した圧力変動の波長と適合する間隔の壁が存在しているならば、同様に、それらの壁同士の間に仕切壁３を配置することが好ましい。
【００４１】
仕切壁３１〜３３の位置についてより詳しく説明する。
角壁２１と壁２２との間に仕切壁３１が配置されると、角壁２１と壁２２との間の空間が仕切壁３１により分割される。このとき、仕切壁３１の両面側に位置する壁２１，２２までのそれぞれの距離ｄ１，ｄ２が、いずれも、羽根車１１０から伝搬する圧力変動の選択周波数の波長のｎ倍のいずれにも該当しないようにする。ここでは、騒音への影響が顕著である２波長を上限として、仕切壁３１の位置を定める。つまり、周波数分析により選択された周波数の１／２波長、１波長、３／２波長、および２波長のいずれにも該当しないように仕切壁３１の位置を定める。
【００４２】
角壁２３と壁２４との間に配置する仕切壁３２についても、仕切壁３２の両面側に位置する壁２３，２４までのそれぞれの距離ｄ３，ｄ４が、いずれも、羽根車１１０から伝搬する圧力変動の選択周波数の１／２波長、１波長、３／２波長、および２波長のいずれにも該当しないように、位置を定める。
同様に、壁２５と壁２６との間に配置する仕切壁３３についても、仕切壁３３の両面側に位置する壁２５，２６までのそれぞれの距離ｄ５，ｄ６が、いずれも、羽根車１１０から伝搬する圧力変動の選択周波数の１／２波長、１波長、３／２波長、および２波長のいずれにも該当しないように、位置を定める。
【００４３】
本実施形態では、羽根車１１０の周囲に、向かい合う複数組の壁（２１と２２、２３と２４、２５と２６）が存在し、壁同士の間をそれぞれ仕切壁３１〜３３により仕切っている。これらの仕切壁３１〜３３を配置することで、それぞれの仕切壁と、その両側に位置する壁までの空間、つまり、距離ｄ１の空間および距離ｄ２の空間、距離ｄ３の空間および距離ｄ４の空間、距離ｄ５の空間および距離ｄ６の空間、が存在することとなる。これらの空間において同一波長および同一周波数の圧力変動を発生させるのを避けるため、これらの空間のそれぞれの距離ｄ１，ｄ２，ｄ３，ｄ４，ｄ５，ｄ６を相互に異ならせることが好ましい。
【００４４】
つまり、距離ｄ１は、距離ｄ２，ｄ３，ｄ４，ｄ５，ｄ６のいずれとも相違する。距離ｄ２は、距離ｄ１，ｄ３，ｄ４，ｄ５，ｄ６のいずれとも相違する。以下、同様であるので省略する。
【００４５】
以上で説明した本実施形態によれば、羽根車１１０の周囲で向かい合う壁同士の間に、熱交換器１２から風上側と風下側とに突出した仕切壁３１〜３３を配置することにより、共鳴発生による騒音増幅を抑制することができる。その上、騒音への影響が大きい所定の選択周波数の波長に適合する寸法の空間が存在しないように、羽根車１１０の周囲に位置する壁同士の間の適切な位置を選定して仕切壁３１〜３３を設置しているので、共鳴による騒音増幅をより確実に抑えることができる。
さらに、複数の仕切壁３１〜３３が設置されたことで出現する仕切壁３１〜３３の各々の両側の空間についても、空間のそれぞれの距離ｄ２，ｄ２，ｄ３，ｄ４，ｄ５，ｄ６を相互に異ならせているため、同一波長で同一周波数の共鳴の発生を防ぐことができる。つまり、仕切壁３１〜３３に起因する共鳴の発生を避け、騒音抑制の効果を担保することができる。
【００４６】
〔第２実施形態〕
次に、図５（ａ）および（ｂ）を参照し、本発明の第２実施形態について説明する。
以下、第１実施形態とは相違する事項を中心に説明する。
第２実施形態では、熱交換器１２から風上側と風下側とに突出した仕切壁４（４１，４２）を、筐体２０の高さ方向に対して傾斜させている。
そのため、図５（ｂ）に矢印で示すように、仕切壁４から、仕切壁４の両側に位置する壁（２５，２６）までのそれぞれの距離は、筐体２０の高さ方向において変化している。
【００４７】
第２実施形態でも、仕切壁４により、熱交換器１２の風上側の間隙Ｓ２と風下側の間隙Ｓ２とが十分に仕切られているため、共鳴に起因する騒音増幅を抑制することができる。また、羽根車１１０から伝搬した圧力変動が仕切壁３により分割されることで波長が短くなり周波数が高い方にシフトし、同じ周波数の圧力変動の伝播を抑制して騒音を低減することができる。
【００４８】
それに加えて、筐体２０の高さ方向に対して傾斜した仕切壁４により、羽根車１１０の周囲で向かい合う壁同士の間の距離が高さ方向において変化しているので、仮に、仕切壁４１（または４２）から、その両側の壁までの壁までの距離に起因して共鳴が発生したとしても、共鳴周波数を分散させ、同じ周波数の圧力変動の伝播を抑制して騒音を低減することができる。
【００４９】
傾斜した仕切壁４の代わりに、図６に示す仕切壁５を用いることもできる。仕切壁５は、仕切っている両側の壁（そのうち一方の壁２２のみを図示）に向けて交互に突出するように、波状に形成されている。この仕切壁５を用いることによっても、仕切壁５から壁（例えば２２）までの距離に起因する共鳴の周波数を分散させ、同じ周波数の圧力変動の伝播を抑制して騒音を低減することができる。
【００５０】
上記の仕切壁４（図５）や仕切壁５（図６）のように仕切壁４，５の形状により、仕切壁と壁との間の距離を変化させる効果を得る代わりに、筐体２０の内壁や筐体２０内に配置された壁２１〜２６を高さ方向に対して傾斜させたり、波状に形成することによっても、同様の効果を得ることができる。
【００５１】
さらに、図７に示すように、筐体２０の平面視において壁同士の間の距離を異ならせることによっても、同様の効果を得ることができる。
図７に示す例では、壁２５と壁２６とを結ぶ方向に対して仕切壁６を傾斜させており、それによって、仕切壁６から、その両側の壁２５，２６までの距離が、壁２５，２６を結ぶ方向において変化している。
【００５２】
ここで、角壁２１も、仕切壁６と同様に、壁２１と仕切壁３１とを結ぶ方向に対して傾斜しているので、角壁２１と仕切壁３１との間の距離が、壁２１，３１を結ぶ方向において変化している。角壁２３と仕切壁３２との関係も同様である。
意図的であるかないかを問わず、向かい合う壁と壁との間の距離が、壁同士を結ぶ方向に対して変化していることで、壁同士の距離に起因する共鳴の周波数を分散させ、同じ周波数の圧力変動の伝播を抑制して騒音を低減することができる。
【００５３】
上記の各実施形態に挙げた仕切壁３〜６は、音波を吸収する吸音材を用いて構成することもできる。
かかる吸音材は、羽根車１１０の周囲の空気の圧力変動を吸収して減衰させるので、騒音抑制に寄与することができる。例えば、仕切壁３の表面に吸音材を貼り付けたり、仕切壁３の全体を吸音材から形成することができる。吸音材としては、例えば、ウレタン樹脂等で形成されたスポンジや、吸音樹脂等を例示することができる。
【００５４】
上記以外にも、本発明の主旨を逸脱しない限り、上記実施形態で挙げた構成を取捨選択したり、他の構成に適宜変更することが可能である。
本発明は、熱交換器１２よりも風上側の間隙Ｓ１と風下側の間隙Ｓ２とを備えている限り、室外ユニットも含め、種々の空気調和機ユニットに適用することができる。
【符号の説明】
【００５５】
３，３１〜３３      仕切壁
４，４１，４２      仕切壁
５，６    仕切壁
３Ａ      外端
３Ｂ      内端
１０      空気調和機ユニット
１１      ファン
１１Ｍ    モータ（駆動部）
１２      熱交換器
１２Ａ    一端部
１２Ｂ    他端部
１３      筐体パネル
１４      ベルマウス
１５      ドレンポンプ
２０      筐体
２０Ｂ，２０Ｃ      接続部
２１      角壁
２２      壁
２３      角壁
２４      壁
２５      壁
２６      壁
１１０    羽根車
１１０Ａ  外端
１１１    軸
１１２    主板
１１３    羽根
１１４    シュラウド
１２１    チューブ
１２２    フィン
１２３    内周部
１２４    外周部
１３１    吸込み口
１３２    吹出し口
２０１    開口
２０２    内壁
２０３    底部
ｄ１，ｄ２，ｄ３，ｄ４，ｄ５，ｄ６      距離
Ｓ１      間隙
Ｓ２      間隙
【図１】
2018124026.tif 000003
【図２】
2018124026.tif 000004
【図３】
2018124026.tif 000005
【図４】
2018124026.tif 000006
【図５】
2018124026.tif 000007
【図６】
2018124026.tif 000008
【図７】
2018124026.tif 000009